(57)【特許請求の範囲】
【請求項１】
エネルギー線の照射により硬化する液体を廃液として回収するための廃液タンクと、上記廃液タンクに貯留された廃液の液面に対して硬化用のエネルギー線を照射する照射手段と、廃液タンクと貯留させた廃液との少なくともいずれかに対して外力を付与する外力付与手段とを備え、
前記廃液タンクは、前記液面に対して傾斜しており、
前記照射手段は、前記廃液タンクの開口に向かって進退可能に構成されていることを特徴とする廃液処理装置。
【請求項２】
前記外力付与手段は、前記廃液タンクに接続された回転軸を有し、
前記回転軸は、前記液面に対して傾斜している請求項１記載の廃液処理装置。
【請求項３】
上記外力付与手段は、廃液タンクを揺動させるものである請求項１又は２に記載の廃液処理装置。
【請求項４】
前記液体を前記廃液タンクに導入する排出路を有し、
前記排出路は、前記液面に平行な面に対して垂直方向に延びる導入口を含むことを特徴とする請求項１〜３のいずれか一項に記載の廃液処理装置。
【請求項５】
請求項１〜４のいずれか一項に記載の廃液処理装置と、
前記エネルギー線の照射により硬化する液体を噴射する噴射ヘッドと、を備えたことを特徴とする液体噴射装置。
【発明の詳細な説明】
【技術分野】
【０００１】
本発明は、紫外線（ＵＶ）等のエネルギー線の照射によって硬化するエネルギー線硬化型インクのようなエネルギー線硬化型液体の廃液処理装置に関するものであり、主として印刷データに対応してノズルからインク滴を吐出させて記録媒体にドットを形成させるインクジェット式記録装置のような液体噴射装置に適用可能な廃液処理装置に関するものである。
【背景技術】
【０００２】
液体をターゲットに噴射する液体噴射装置には、インクを記録用紙に噴射して印刷を施すインクジェット式記録装置が知られている。このインクジェット式記録装置における記録ヘッドは、圧力発生室で加圧したインクをノズルからインク滴として記録用紙に吐出させて印刷を行う関係上、ノズル開口からの溶媒の蒸発に起因するインク粘度の上昇や、インクの固化、塵埃の付着、さらには気泡の混入などにより吐出不良の状態となり、印刷不良を起こすという問題を抱えている。
【０００３】
このために、インクジェット式記録装置には、非印刷時に記録ヘッドのノズル開口を封止するためのキャッピング手段と、必要に応じてノズル形成面を清掃するワイピング部材が備えられている。このキャッピング手段は、前記したノズル開口のインクの乾燥を防止する蓋体として機能するだけでなく、ノズル開口に目詰まりなどが生じた場合には、キャッピング手段によりノズル形成面を封止し、吸引ポンプからの負圧により、ノズル開口からインクを吸引排出させてノズル開口の目詰まりを解消する機能をも備えている。
【０００４】
記録ヘッドの目詰まり解消のために行うインクの強制的な吸引排出処理は、クリーニング操作と呼ばれており、例えば記録装置の長時間の休止後に印刷を再開する場合や、ユーザが印刷状態の不良を認識してクリーニングスイッチを操作した場合などに実行され、記録ヘッドからインクを排出させた後にゴムなどの弾性板からなるワイピング部材により、記録ヘッドのノズル形成面を払拭する操作が伴われる。
【０００５】
そして、前記したクリーニング操作に伴いキャッピング手段内に貯留された記録ヘッドからの廃液は、吸引ポンプの駆動により廃液タンクに廃棄することができるように構成されている。また前記廃液タンクには、一般に多孔質材料により構成された廃液吸収材が収納されており、この廃液吸収材によって廃液を吸収した形で保持するようになされている。
【０００６】
一方、インクジェット記録方式の１種としてＵＶインクジェット方式がある。このＵＶインクジェット方式は、紫外線（ＵＶ）等のエネルギー線の照射によって硬化するエネルギー線硬化インクを記録媒体に付着させた後、この記録媒体にエネルギー線を照射することによりエネルギー線硬化インクを硬化させて印字を行う記録方式である。
【０００７】
このようなＵＶインクジェット方式の記録装置において、クリーニング動作で吸引した廃インクを、インクを吸収する吸収体が充填された廃インクボトルに導入し、廃インクボトルを透明なものとし、吸収体に吸収された廃インクに対して紫外線を照射して硬化させるものが提案されている（下記の特許文献１）。
【特許文献１】特開２００４−１５５０４７号公報
【発明の開示】
【発明が解決しようとする課題】
【０００８】
しかしながら、上記特許文献１の装置では、廃液容器が透明であっても吸収体や硬化した液体は必ずしも透明ではないところ、廃液を吸収体に吸収させた状態で紫外線照射することから、透明の廃液容器の外側に近い部分では紫外線の通りもよくて速やかに硬化するものの、内部に行くほど紫外線が届き難くなり、未硬化状態のままで残ってしまう部分が生じる。
【０００９】
紫外線硬化タイプの液体は、皮膚刺激性を持つ物質を含むことが多いうえに刺激臭が強く、未硬化状態であると、直接肌に触れると人体に悪影響を及ぼす可能性があるうえに刺激臭で作業環境が悪い一方、紫外線硬化させてしまうと無害化するとともに刺激臭も抑制されることが知られている。このような事情から、上記特許文献１の装置のように、紫外線硬化タイプの液体が未硬化状態で残ってしまうと、廃液容器を回収して焼却処理等する際に、作業環境の安全性や快適性が確保できないという問題がある。
【００１０】
また、吸収体に吸収させた状態で液体を硬化させると、その後に回収される液体が吸収体に吸収されにくくなることから、廃液容器の回収量としてはまだ余力があるにも係わらず、廃液の回収が出来なくなる状態になるおそれがある。このような状態は廃液の吸収状態や硬化状態によってばらつきがでるため、廃液タンクの寿命も一定せず、ユーザへの交換タイミングの報知を適切にできなくなるという問題もあった。
【００１１】
本発明は、このような事情に鑑みなされたもので、液体を確実に無害な固体にして回収することで安全かつ容易に廃液処理を行えるようにした廃液処理装置の提供を目的とする。
【課題を解決するための手段】
【００１２】
上記目的を達成するため、本発明の廃液処理装置は、エネルギー線の照射により硬化する液体を廃液として回収するための廃液タンクと、上記廃液タンクに貯留された廃液の液面に対して硬化用のエネルギー線を照射する照射手段と、廃液タンクと貯留させた廃液との少なくともいずれかに対して外力を付与する外力付与手段とを備えたことを要旨とする。
【００１３】
本発明の廃液処理装置は、廃液タンクに貯留された廃液の液面に対して硬化用のエネルギー線を照射するとともに、廃液タンクと貯留させた廃液との少なくともいずれかに対して外力を付与する。このため、液面近傍の廃液はエネルギー線の照射によって氷が張るように順次硬化する。このとき、廃液タンクと貯留させた廃液との少なくともいずれかに対して外力が付与されることから、上記外力により、液面には振動や流動等の運動が生じることから、液面で硬化した樹脂が廃液タンクの内壁面に固着することがない。そして、硬化した樹脂は重合による収縮で未硬化の液よりも比重が高くなるため、やがて廃液タンクの底に沈む。すると、新しい液面が露出し、硬化用のエネルギー線が照射されることにより再び液面近傍で硬化を開始する。このような動作を繰り返すことにより、廃液タンク内の廃液は完全に硬化して未硬化部分が残ることがなく、廃液タンクの回収・処理における作業の安全性や快適性が確保できる。また、廃液を液面の上方に配置した廃液導入口から導入した場合には、硬化した樹脂は順次底部に沈むとともに、次の廃液は順次液面の上側から導入されることから、硬化した樹脂はタンク内空間の底部から順次積層されていくため、従来のように、廃液の吸収状態や硬化状態によって回収可能量にばらつきが生じることがなくなり、ユーザへの廃液タンクの交換タイミングの報知を適切に行うことができる。
【００１４】
本発明において、上記外力付与手段は、廃液タンクに貯留された廃液の液面を廃液タンクの内壁面に対して相対的に移動させるものである場合には、液面で硬化した樹脂が廃液タンクの内壁面に固着することを確実に防止し、廃液タンク内の廃液を完全に硬化させて廃液タンクの回収・処理における作業の安全性や快適性を確保できる。
【００１５】
本発明において、上記外力付与手段は、廃液タンクの内壁面と液面との境界線を上記内壁面に対して移動させるものである場合には、液面で硬化した樹脂が廃液タンクの内壁面に固着することを確実に防止し、廃液タンク内の廃液を完全に硬化させて廃液タンクの回収・処理における作業の安全性や快適性を確保できる。
【００１６】
本発明において、上記外力付与手段は、廃液タンクを所定の軸を中心として回転させるものである場合には、液面で硬化した樹脂が廃液タンクの内壁面に固着することを極めて簡単な構造で確実に防止できる。また、この場合において、廃液タンクが全体として大略筒状であり、筒状の軸心を中心として回転させるものである場合には、廃液タンクの回転スペースを占めないため、装置自体が大型化せず、コンパクトになる。
【００１７】
本発明において、上記外力付与手段は、廃液タンクと貯留させた廃液との少なくともいずれかに対して振動を与えるものである場合には、液面で硬化した樹脂が廃液タンクの内壁面に固着することを確実に防止し、廃液タンク内の廃液を完全に硬化させて廃液タンクの回収・処理における作業の安全性や快適性を確保できる。
【００１８】
本発明において、上記外力付与手段は、廃液タンクを揺動させるものである場合には、液面で硬化した樹脂が廃液タンクの内壁面に固着することを確実に防止し、廃液タンク内の廃液を完全に硬化させて廃液タンクの回収・処理における作業の安全性や快適性を確保できる。
【００１９】
本発明において、上記廃液タンクには、外力によって生じる液面の運動を促進する運動促進手段が設けられている場合には、廃液タンクの回転によって生じる廃液タンク内での液面の運動が促進されることにより、液面で硬化した樹脂が廃液タンクの内壁面に固着することを極めて簡単な構造で確実に防止できる。また、液面が運動しながらエネルギー線の照射をうけることから、硬化した樹脂が大きな塊にならずに廃液タンクの底に沈むことから、硬化した樹脂同士の隙間に未硬化の廃液が残存しにくくなり、廃液タンク内の廃液をより完全に硬化させることができる。
【発明を実施するための最良の形態】
【００２０】
つぎに、本発明の実施の形態を詳しく説明する。
【００２１】
以下、本発明の廃液処理装置を液体噴射装置としてのインクジェット式記録装置に適用した一実施形態を図にしたがって説明する。
【００２２】
図１は本発明が適用されるインクジェット式記録装置の主要部の構成を示したものである。
【００２３】
図において符号１は、インクタンクとしてのインクカートリッジ２からインクの供給を受けて図示しないターゲットに対してノズルからインク滴を噴射して記録を行うための噴射ヘッド１である。また、符号３は、記録領域外に配置されたキャッピング手段３である。このキャッピング手段３は、キャッピング手段３の内部空間に対して負圧を与えるための吸引ポンプ４が接続されている。
【００２４】
上記キャッピング手段３は、記録装置の休止期間中において噴射ヘッド１のノズル形成面を封止してノズルの乾燥を防止する蓋体として機能する他、前記吸引ポンプ４からの負圧を噴射ヘッド１に作用させて、噴射ヘッド１からインクを吸引排出させるクリーニング手段としての機能も兼ね備えている。
【００２５】
上記構成により、インクカートリッジ２を交換したときや、噴射ヘッド１のノズルに目詰まりが生じたとき、長期間放置後の起動初期等において、噴射ヘッド１のノズル形成面をキャッピング手段３でキャッピングして吸引ポンプ４で吸引することによりインクを強制的に吸引排出し、噴射ヘッド１内の増粘インクや気泡を吸引排出して噴射ヘッド１の噴射特性を維持しうるようになっている。
【００２６】
吸引ポンプ４の吸引によりインク排出路５から排出されたインクは廃液タンク６内に導入され、上記廃液タンク６を含む本発明の廃液処理装置１０によって硬化処理される。
【００２７】
この例では、上記インクとして紫外線（ＵＶ）等の光に代表されるようなエネルギー線の照射によって硬化するエネルギー線硬化型インクのようなエネルギー線硬化型液体が使用されている。例えば紫外線硬化インクであり、具体的には、例えば、紫外線硬化樹脂（５乃至１０％）、顔料（５乃至１０％）、インクジェットにて安定印刷するための添加剤（約２０％）および水（６０乃至７０％）等の成分から構成されている。
【００２８】
図２は、上記廃液処理装置１０の構成を示す図である。
【００２９】
この廃液処理装置１０は、エネルギー線の照射により硬化する液体を廃液として回収するための廃液タンク６と、上記廃液タンク６に貯留された廃液の液面１１に対して硬化用のエネルギー線を照射する照射手段７と、廃液タンク６に貯留された廃液の液面１１を廃液タンク６の内壁面１２に対して相対的に移動させる回転駆動手段８を備えている。上記回転駆動手段８は、廃液タンク６と貯留させた廃液との少なくともいずれかに対して外力を付与する外力付与手段として機能する。
【００３０】
より詳しく説明すると、上記廃液タンク６は、上部に開口２１を有する略円筒状のボトル状に形成され、上部の開口２１に会わせて照射手段７とインク排出路５が取り付けられた照射ユニット２２が配置されるようになっている。上記廃液タンク６は、その底部がタンクホルダ２３に着脱可能に取り付けられるようになっている。
【００３１】
一方、上記外力付与手段としての回転駆動手段８は、廃液タンク６を所定の軸を中心として回転させるようになっている。
【００３２】
すなわち、上記回転駆動手段８の回転軸２４には、タンクホルダ２３がその軸心が回転軸２４と同軸状になるように固定されている。また、タンクホルダ２３には、円筒状の軸心が同軸状になるように廃液タンク６が取り付けられる。これにより、回転駆動手段８により、タンクホルダ２３が回転駆動されることにより、廃液タンク６が略筒状の廃液タンク６の軸心を中心として回転駆動されるようになっている。このように、廃液タンク６が全体として大略筒状であり、筒状の軸心を中心として回転させるものであるため、廃液タンク６の回転スペースを占めないため、装置自体が大型化せず、コンパクトになる。
【００３３】
また、上記回転駆動手段８は、回転軸２４およびタンクホルダ２３が傾斜状に配置されており、廃液タンク６を軸心が傾斜状になるように保持し、傾斜状を保ったまま傾斜状の軸心を中心にして回転させるようになっている。
【００３４】
一方、上記照射ユニット２２には、エネルギー線として紫外線（ＵＶ光）を照射する照射手段７が取り付けられている。上記照射手段７としては、具体的には、例えば紫外帯域で発光するＬＥＤ等を用いることができる。また、上記照射ユニット２２には、上記吸引ポンプ４に接続されてキャッピング手段３からの廃液を排出するインク排出路５が取り付けられている。
【００３５】
上記照射ユニット２２は、廃液タンク６の開口２１に向かって進退可能に構成されている。これにより、照射手段７およびインク排出路５の廃液導入口２５を廃液タンク６の開口２１内に配置するときは、照射ユニット２２を廃液タンク６の開口２１に向かって前進させた位置で保持し（図２の状態）、廃液タンク６の取り付け取り外しや交換を行なう際には、照射ユニット２２を廃液タンク６の開口２１から後退させることが行なわれる。
【００３６】
上記照射手段７は、照射ユニット２２を廃液タンク６の開口２１に向かって前進させた位置において、上記廃液タンク６に貯留された廃液の液面１１に対して硬化用のエネルギー線を照射可能に構成されている。また、その位置において、インク排出路５の廃液導入口２５は、上記廃液タンク６内の貯留空間に廃液を導入しうるように照射ユニット２２に取り付けられている。このとき、インク排出路５と照射手段７の位置関係は、インク排出路５の廃液導入口２５から噴出したインクが照射手段７にかかってそのまま硬化してしまい、照射効率が低下するのを防止しうるように、照射手段７がインク排出路５の廃液導入口２５よりも上に位置するようになっている。
【００３７】
上記構成により、上記廃液処理装置１０は、つぎのようにして廃液の処理を行う。
【００３８】
すなわち、インクジェット式記録装置において、インクカートリッジ２を交換したときや、噴射ヘッド１のノズルに目詰まりが生じたとき、長期間放置後の起動初期等の所定の吸引タイミングにおいて、噴射ヘッド１のノズル形成面がキャッピング手段３でキャッピングされ吸引ポンプ４で吸引することにより、インクが強制的に吸引排出される。
【００３９】
吸引されたインクはインク排出路５の廃液導入口２５から廃液タンク６内に導入される。図示しない制御手段は、インクが吸引されて廃液が廃液タンク６内に導入されるタイミングで、回転駆動手段８が廃液タンク６の回転駆動を開始制御するとともに、照射手段７からエネルギー線の照射を開始制御する。
【００４０】
図３は、廃液タンク６が回転されながら、照射手段７から液面１１に対してエネルギー線の照射を行なったときの状態を説明する図である。
【００４１】
図３（Ａ）に示すように、照射手段７から廃液の液面１１に対してエネルギー線が照射されると、液面１１近傍の廃液はエネルギー線の照射によって氷が張るように順次硬化して薄い樹脂板１４が形成される。
【００４２】
図３（Ｂ）に示すように、上記外力付与手段としての回転駆動手段８が、液面１１を廃液タンク６の内壁面１２に対して相対的に移動させ、廃液タンク６の内壁面１２と液面１１との境界線１３を上記内壁面１２に対して移動させる。したがって、廃液タンク６が傾斜状に保持されながら回転することにより、液面１１は、廃液タンク６の内壁面１２に対して相対的には常に一定箇所に留まることなく移動している。また、液面１１と廃液タンク６の内壁面１２との境界線１３は、回転する廃液タンク６の内壁面１２に対して常に一定箇所に留まることなく移動する。すなわち、外力付与手段としての回転駆動手段８は、廃液タンク６に外力を与えて回転させることにより、廃液の液面１１に振動や流動等の運動を付与する。このようにすることにより、液面１１近傍で硬化した樹脂板１４が廃液タンク６の内壁面１２に固着することがない。
【００４３】
図３（Ｃ）に示すように、回転駆動手段８を使用せず、照射手段７から廃液の液面１１に対してエネルギー線の照射だけを行なって、液面１１を廃液タンク６の内壁面１２に対して相対的に移動させない、すなわち廃液タンク６に外力を与えて液面を運動させない場合は、液面１１近傍で硬化した樹脂板１４が廃液タンク６の内壁面１２に固着してしまう。このように、液面１１全体が硬化した樹脂板１４で覆われてしまうと、その後エネルギー線を液面１１に照射しても樹脂板１４より下にある未硬化のインクまでエネルギー線が届きにくくなり、未硬化の廃液が残ってしまうこととなる。
【００４４】
本実施形態の廃液処理装置１０では、液面１１近傍で硬化した樹脂板１４が廃液タンク６の内壁面１２に固着することがなく、硬化した樹脂は重合による収縮で未硬化の液よりも比重が高くなるため、やがて廃液タンク６の底に沈む。すると、新しい液面１１が露出して、さらに硬化用のエネルギー線が照射されることにより再び液面１１近傍で硬化を開始する。このような動作を繰り返すことにより、廃液タンク６内の廃液は完全に硬化して未硬化部分が残ることがなく、廃液タンクの回収・処理における作業の安全性や快適性が確保できる。
【００４５】
また、廃液を液面１１の上方に配置した廃液導入口２５から導入するため、硬化した樹脂は順次底部に沈むとともに、次の廃液は順次液面１１の上側から導入されることから、硬化した樹脂は廃液タンク６内の貯留空間の底部から順次積層されていくため、従来のように、廃液の吸収状態や硬化状態によって回収可能量にばらつきが生じることがなくなり、ユーザへの廃液タンク６の交換タイミングの報知を適切に行うことができる。
【００４６】
図４は、本発明の第２実施形態の廃液処理装置に適用される廃液タンク６である。
【００４７】
図４（Ａ）は廃液タンク６の縦断面図であり、図４（Ｂ）は上記第１実施形態に示した円筒状の廃液タンク６の横断面図である。
【００４８】
図４（Ｃ）〜（Ｆ）に示すように、上記廃液タンク６には、廃液タンク６の回転によって生じる廃液の攪拌を促進する攪拌促進手段を設けることができる。
【００４９】
図４（Ｃ）は、廃液タンク６の周壁を複数箇所（この例では４箇所）、内側に向かって膨出する膨出部２６が形成されている。上記各膨出部２６は、軸心方向に伸びるように形成され、廃液が貯留された廃液タンク６を筒状の軸心を中心として回転させたときに、廃液タンク６の回転によって生じる液面の運動すなわち廃液の攪拌を促進しうるようになっている。すなわち、この例では、上記膨出部２６が攪拌促進手段として機能する。
【００５０】
図４（Ｄ）は、廃液タンク６の周壁の複数箇所に（この例では２箇所）、内側に向かって伸びる攪拌羽根２７が取り付けられている。上記各攪拌羽根２７は、軸心方向に伸びるように形成され、廃液が貯留された廃液タンク６を筒状の軸心を中心として回転させたときに、廃液タンク６の回転によって生じる液面の運動すなわち廃液の攪拌を促進しうるようになっている。すなわち、この例では、上記攪拌羽根２７が運動促進手段として機能する。
【００５１】
図４（Ｅ）は、廃液タンク６の周壁が軸心に直交する横断面において四角形に形成されており、図４（Ｆ）は、廃液タンク６の周壁が軸心に直交する横断面において三角形に形成されている。このように、廃液タンク６の周壁の断面形状を異型にすることにより、廃液が貯留された廃液タンク６を筒状の軸心を中心として回転させたときに、廃液タンク６の回転によって生じる液面の運動すなわち廃液の攪拌を促進しうるようになっている。すなわち、この例では、上記周壁が運動促進手段として機能する。なお、廃液タンク６の周壁の断面形状は、上述したものに限定するものではなく、楕円形、５角形や６六角形、８角形等、各種の異型形状を採用することができる。
【００５２】
このように、上記廃液タンク６に、廃液タンク６の回転によって生じる液面の運動すなわち廃液の攪拌を促進する運動促進手段を設けることにより、液面で硬化した樹脂が廃液タンク６の内壁面に固着することを極めて簡単な構造で確実に防止できる。また、廃液が攪拌されながらエネルギー線の照射をうけることから、硬化した樹脂が大きな塊にならずに廃液タンク６の底に沈むことから、硬化した樹脂同士の隙間に未硬化の廃液が残存しにくくなり、廃液タンク６内の廃液をより完全に硬化させることができる。
【００５３】
図５（Ａ）は、本発明の第３実施形態の廃液処理装置を示す。この例では、筒状の廃液タンク６の軸心が鉛直方向に沿って配置され、廃液タンク６が鉛直の軸を中心に回転駆動されるように構成されている。それ以外は、上記各実施形態と同様であり、同様の部分には同じ符号を付している。
【００５４】
この実施形態でも、上記外力付与手段としての回転駆動手段８は、廃液タンク６に貯留された廃液の液面１１を廃液タンク６の内壁面１２に対して相対的に移動させるようになっている。すなわち、内壁面１２近傍の液体は、廃液タンク６の内壁面１２の回転に伴って、内壁面１２よりも少し遅れて回転し、その遅れの程度は液面の中心部すなわち軸心に近づくにつれて大きくなる。したがって、液面１１は内壁面１２の移動に完全に追従して移動しているのではなく、液面１１は内壁面１２に対して相対的に移動している状態である。また、液面１１は、廃液タンク６の回転により運動している状態である。この例でも、上記各実施形態と同様の作用効果を奏する。
【００５５】
図５（Ｂ）は、本発明の第４実施形態の廃液処理装置を示す。この例では、外力付与手段として、廃液タンク６と貯留させた廃液との少なくともいずれかに対して振動を与える振動付与手段１５を備えている。
【００５６】
この例では、上記振動付与手段１５として、廃液タンク６の底面に設けられた当接部材２８と上記当接部材２８に当接しながら回転するカム部材２９とから構成されている。これにより、上記カム部材２９が当接部材２８に当接しながら回転することにより、廃液タンク６に対して上下方向の縦振動を付与するように構成されている。それ以外は、上記各実施形態と同様であり、同様の部分には同じ符号を付している。
【００５７】
この実施形態でも、上記外力付与手段としての振動付与手段１５は、廃液タンク６に貯留された廃液の液面１１を運動させるようになっている。すなわち、廃液タンク６の内壁面１２は振動付与手段１５により上下に振動し、それにともなって液面１１にも振動が生じるが、液面１１の振動は内壁面１２の振動に完全に追従するのではなく、液面１１は波打って、内壁面１２に対して相対的に移動している状態である。この例でも、上記第１実施形態と同様の作用効果を奏する。
【００５８】
図５（Ｃ）は、本発明の第５実施形態の廃液処理装置を示す。この例では、外力付与手段として、廃液タンク６と貯留させた廃液との少なくともいずれかに対して振動を与える振動付与手段１５を備えている。
【００５９】
この例では、上記振動付与手段１５として、廃液タンク６の側面に設けられた当接部材２８と上記当接部材２８に当接しながら回転するカム部材２９とから構成されている。これにより、上記カム部材２９が当接部材２８に当接しながら回転することにより、廃液タンク６に対して左右方向の横振動を付与するように構成されている。それ以外は、上記各実施形態と同様であり、同様の部分には同じ符号を付している。
【００６０】
この実施形態でも、上記外力付与手段としての振動付与手段１５は、廃液タンク６に貯留された廃液の液面１１を運動させるようになっている。すなわち、廃液タンク６の内壁面１２は振動付与手段１５により左右に振動し、それにともなって液面１１に揺れが生じる。液面１１の揺れは内壁面１２の振動に完全に追従するのではなく、液面１１は波打って、内壁面１２に対して相対的に移動している状態である。この例でも、上記各実施形態と同様の作用効果を奏する。
【００６１】
図５（Ｄ）は、本発明の第６実施形態の廃液処理装置を示す。この例では、外力付与手段として、廃液タンク６と貯留させた廃液との少なくともいずれかに対して振動を与える振動付与手段１５を備えている。
【００６２】
この例では、上記振動付与手段１５として、廃液タンク６の底面に対して超音波振動を付与する超音波振動子から構成されている。これにより、上記超音波振動子の振動により廃液タンク６および廃液に対して超音波振動を付与するように構成されている。それ以外は、上記各実施形態と同様であり、同様の部分には同じ符号を付している。
【００６３】
この実施形態でも、上記外力付与手段としての超音波振動子は、廃液タンク６に貯留された廃液の液面１１を運動させるようになっている。すなわち、廃液タンク６の内壁面１２は超音波振動により超音波振動し、それにともなって液面１１に超音波振動が生じる。液面１１の超音波振動は内壁面１２の超音波振動に完全に追従するのではなく、液面１１は内壁面１２に対して相対的に移動している状態である。この例でも、上記各実施形態と同様の作用効果を奏する。
【００６４】
図５（Ｆ）は、本発明の第７実施形態の廃液処理装置を示す。この例では、外力付与手段として、廃液タンク６を揺動させる揺動手段（図示せず）を備えている。これにより、上記揺動手段により廃液タンク６を揺動するように構成されている。それ以外は、上記各実施形態と同様であり、同様の部分には同じ符号を付している。
【００６５】
この実施形態でも、上記外力付与手段としての揺動手段は、廃液タンク６に貯留された廃液の液面１１を運動させるようになっている。すなわち、廃液タンク６の内壁面１２は揺動手段により前後左右に振動し、それにともなって液面１１に揺れが生じる。液面１１の揺れは内壁面１２の揺動に完全に追従するのではなく、液面１１は波打って、内壁面１２に対して相対的に移動している状態である。この例でも、上記各実施形態と同様の作用効果を奏する。
【００６６】
なお、上記各実施形態では、上記照射手段７として紫外帯域で発光するＬＥＤを例示して説明したが、これに限定するものではなく、上記照射手段７として、例えば、メタルハライドランプ、キセノンランプ、カーボンアーク灯、ケミカルランプ、低圧水銀ランプ、高圧水銀ランプ灯、各種のエネルギー線照射手段を適用することができる。
【００６７】
また、上記各実施形態において、照射手段７が廃液タンク６に貯留された廃液の液面に対して硬化用のエネルギー線を照射する際に、液面の全面にエネルギー線を照射するように構成することもできるし、例えばレンズ等により集光して液面の一部にスポット的にエネルギー線を照射するように構成することもできる。
【００６８】
なお、上述した各実施形態においては廃液タンク６として、上面が開放された筒状のものを用いているが、これに限定するものではなく、蓋部材を含む外郭構成部材により内部空間が密封された構造とすることもできる。この場合、内部空間の内部において天井部に照射手段７や記録装置からの廃液を受ける廃液導入口２５を設けるようにすることもできる。また、蓋部材を透明部材のような紫外線透過部材から形成し、蓋部材の上側に照射手段７を設けるように構成することも可能である。
【００６９】
上記各実施形態において、噴射ヘッド１は、液体を噴射させる駆動素子である圧力発生素子として、圧電振動子を利用した液体噴射装置に適用することもできるし、発熱素子を利用したタイプの液体噴射装置に適用することもできる。
【００７０】
また、液体噴射装置の代表例としては、上述したような画像記録用のインクジェット式記録ヘッドを備えたインクジェット式記録装置があるが、本発明は、その他の液体噴射装置として、例えば液晶ディスプレー等のカラーフィルタ製造に用いられる色材噴射ヘッドを備えた装置、有機ＥＬディスプレー、面発光ディスプレー（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置等、各種の液体噴射装置に適用することができる。
【図面の簡単な説明】
【００７１】
【図１】本発明が適用される記録装置の概略構成を示す図である。
【図２】本実施形態の廃液処理装置の構成を示す一部断面図である。
【図３】上記廃液処理装置の作用を説明する図である。
【図４】第２の実施形態を示す図である。
【図５】第３〜第７の実施形態を示す図である。
【符号の説明】
【００７２】
１  噴射ヘッド，２  インクカートリッジ，３  キャッピング手段，４  吸引ポンプ，５  インク排出路，６  廃液タンク，７  照射手段，８  回転駆動手段， １０  廃液処理装置，１１  液面，１２  内壁面，１３  境界線，１４  樹脂板，１５  振動付与手段，２１  開口，２２  照射ユニット，２３  タンクホルダ，２４  回転軸，２５  廃液導入口，２６  膨出部，２７  攪拌羽根，２８  当接部材，２９  カム部材
【図１】
0005071122.tif 000002
【図２】
0005071122.tif 000003
【図３】
0005071122.tif 000004
【図４】
0005071122.tif 000005
【図５】
0005071122.tif 000006